(57)【要約】【課題】露光ヘッドまたは読取ヘッドからのスプリングの外れを防止し、組立効率を向上することを目的とする。【解決手段】画像形成装置１は、感光体ドラム（像担持体）１２と、感光体ドラム１２を露光する揺動可能なＬＥＤヘッド（露光ヘッド）１０と、ＬＥＤヘッド１０を感光体ドラム１２に向けて付勢するスプリング１００とを備える。ＬＥＤヘッド１０は、スプリング１００に当接するベース部（基部）４１と、ベース部４１から感光体ドラム１２とは反対側に突出し、スプリング１００の内側寸法よりも小さく形成され、スプリング１００の内周側に挿入されるポスト（突起部）５とを有する。ポスト５は、基部側の根元部分に、スプリング１１と係合可能な切欠き部（凹部）５１ｂを有する。【選択図】図１１
2019142051.tif 000002
【特許請求の範囲】
【請求項１】
像担持体と、
前記像担持体を露光する揺動可能な露光ヘッドと、
前記露光ヘッドを前記像担持体に向けて付勢するスプリングと
を備え、
前記露光ヘッドは、
前記スプリングに当接する基部と、
前記基部から前記像担持体とは反対側に突出し、前記スプリングの内側寸法よりも小さく形成され、前記スプリングの内周側に挿入される突起部と
を有し、
前記突起部は、前記基部側の根元部分に、前記スプリングと係合可能な凹部を有する
ことを特徴とする画像形成装置。
【請求項２】
前記露光ヘッドが前記像担持体を露光する位置にあるときには、前記スプリングは前記凹部に係合せず、
前記露光ヘッドが前記像担持体を露光する位置から揺動すると、前記スプリングは前記凹部に係合する
ことを特徴とする請求項１に記載の画像形成装置。
【請求項３】
前記露光ヘッドは、一方向に長い形状を有し、且つ、当該露光ヘッドの長手方向の揺動軸を中心として揺動可能であり、
前記凹部は、前記突起部において、前記露光ヘッドの揺動する側に形成されている
ことを特徴とする請求項１または２に記載の画像形成装置。
【請求項４】
前記露光ヘッドは、前記揺動軸を中心として第１の方向に第１の角度だけ揺動可能であり、且つ、前記第１の方向とは反対の第２の方向に第２の角度だけ揺動可能であり、
前記第１の角度は、前記第２の角度よりも小さく、
前記凹部は、前記突起部において、前記第１の方向側のみに形成されている
ことを特徴とする請求項３に記載の画像形成装置。
【請求項５】
前記露光ヘッドが前記第１の方向に前記第１の角度だけ揺動したときに、前記スプリングに接触する部材をさらに有する
ことを特徴とする請求項４に記載の画像形成装置。
【請求項６】
前記基部は、前記凹部とつながる穴を有し、
前記凹部と前記穴とが一体となって形成される空洞部に、前記スプリングが係合可能である
ことを特徴とする請求項１から５までのいずれか１項に記載の画像形成装置。
【請求項７】
前記穴は、前記基部を貫通している
ことを特徴とする請求項６に記載の画像形成装置。
【請求項８】
前記凹部は、前記突起部に形成された切欠き部である
ことを特徴とする請求項１から７までの何れか１項に記載の画像形成装置。
【請求項９】
前記突起部の突出方向における前記凹部の寸法が、前記スプリングの線径の２倍以上である
ことを特徴とする請求項１から８までの何れか１項に記載の画像形成装置。
【請求項１０】
前記突起部の突出方向において、前記突起部の高さＨ１と、前記基部から前記スプリングの３巻目までの距離Ｈｓと、前記スプリングの線径φとが、
Ｈ１＜Ｈｓ−（φ／２）
を満足することを特徴とする請求項１から９までの何れか１項に記載の画像形成装置。
【請求項１１】
前記凹部は、前記突起部の中心まで達しない寸法を有する
ことを特徴とする請求項１から１０までの何れか１項に記載の画像形成装置。
【請求項１２】
前記突起部は、当該突起部の突出方向に直交する断面が、十字形状である
ことを特徴とする請求項１から１１までの何れか１項に記載の画像形成装置。
【請求項１３】
前記突起部は、円柱形状を有する
ことを特徴とする請求項１から１１までの何れか１項に記載の画像形成装置。
【請求項１４】
前記突起部は、角柱形状を有する
ことを特徴とする請求項１から１１までの何れか１項に記載の画像形成装置。
【請求項１５】
前記露光ヘッドを保持するヘッドホルダをさらに備え、
前記露光ヘッドと前記ヘッドホルダとの間に、前記スプリングが設けられている
ことを特徴とする請求項１から１４までの何れか１項に記載の画像形成装置。
【請求項１６】
前記露光ヘッドは、一対の壁部を有し、
前記一対の壁部の一方に、前記基部を含むスプリングホルダが取り付けられている
ことを特徴とする請求項１から１５までの何れか１項に記載の画像形成装置。
【請求項１７】
読取対象物を保持する支持台と、
前記読取対象物の光を受光する揺動可能な読取ヘッドと、
前記読取ヘッドを前記支持台に向けて付勢するスプリングと
を備え、
前記読取ヘッドは、
前記スプリングに当接する基部と、
前記基部から前記支持台とは反対側に突出し、前記スプリングの内側寸法よりも小さく形成され、前記スプリングの内周側に挿入される突起部と
を有し、
前記突起部は、前記基部側の根元部分に、前記スプリングと係合可能な凹部を有する
ことを特徴とする画像読取装置。
【発明の詳細な説明】
【技術分野】
【０００１】
本発明は、画像形成装置および画像読取装置に関する。
【背景技術】
【０００２】
電子写真法を用いた画像形成装置では、露光ヘッド（光学ヘッド）から像担持体（例えば感光体ドラム）の表面に光を照射して静電潜像を形成し、その静電潜像を現像して媒体に転写する。
【０００３】
露光ヘッドは、画像形成装置に設けられたヘッドホルダによって保持されている。露光ヘッドを像担持体に対して位置決めするため、露光ヘッドとヘッドホルダとの間には、露光ヘッドを像担持体に向けて付勢するスプリングが設けられている（例えば、特許文献１）。
【先行技術文献】
【特許文献】
【０００４】
【特許文献１】特開２００９−７３０４１号公報（図１参照）
【発明の概要】
【発明が解決しようとする課題】
【０００５】
ここで、露光ヘッドを、ヘッドホルダに対して揺動可能に構成する場合がある。そのため、露光ヘッドを揺動させる際に、露光ヘッドからスプリングが外れないようにすることが望まれている。また、露光ヘッドの組立効率を向上することも望まれている。
【０００６】
本発明は、上記の課題を解決するためになされたものであり、露光ヘッドまたは読取ヘッドからのスプリングの外れを防止し、組立効率を向上することを目的とする。
【課題を解決するための手段】
【０００７】
本発明の画像形成装置は、像担持体と、像担持体を露光する揺動可能な露光ヘッドと、露光ヘッドを像担持体に向けて付勢するスプリングとを備える。露光ヘッドは、スプリングに当接する基部と、基部から像担持体とは反対側に突出し、スプリングの内側寸法よりも小さく形成され、スプリングの内周側に挿入される突起部とを有する。突起部は、基部側の根元部分に、スプリングと係合可能な凹部を有する。
【０００８】
本発明の画像読取装置は、読取対象物を保持する支持台と、読取対象物の光を受光する揺動可能な読取ヘッドと、読取ヘッドを支持台に向けて付勢するスプリングとを備える。読取ヘッドは、スプリングに当接する基部と、基部から支持台とは反対側に突出し、スプリングの内側寸法よりも小さく形成され、スプリングの内周側に挿入される突起部とを有する。突起部は、基部側の根元部分に、スプリングと係合可能な凹部を有する。
【発明の効果】
【０００９】
本発明では、露光ヘッドの突起部の根元部分に、スプリングと係合可能な凹部が設けられている。そのため、露光ヘッドを揺動させた際に、スプリングが突起部の凹部に係合し、これにより、露光ヘッドからのスプリングの外れが防止される。これにより、組立効率を向上することができる。
【図面の簡単な説明】
【００１０】
【図１】第１の実施の形態の画像形成装置の全体構成を示す図である。
【図２】第１の実施の形態のＬＥＤヘッドを示す断面図である。
【図３】第１の実施の形態のＬＥＤヘッドおよびヘッドホルダを示す断面視図である。
【図４】第１の実施の形態のＬＥＤヘッドを示す斜視図である。
【図５】第１の実施の形態のＬＥＤヘッドのフレームにスプリングホルダを取り付ける途中の状態を示す斜視図である。
【図６】第１の実施の形態のＬＥＤヘッドのフレームにスプリングホルダを取り付けた状態を示す斜視図である。
【図７】第１の実施の形態のスプリングホルダを示す斜視図である。
【図８】第１の実施の形態のポストを示す斜視図である。
【図９】第１の実施の形態のポストを示す断面図である。
【図１０】第１の実施の形態のポストおよびスプリングを示す模式図である。
【図１１】図４の線分ＸＩ−ＸＩにおけるＬＥＤヘッドの断面図である。
【図１２】第１の実施の形態のＬＥＤヘッドが第１の方向に揺動した状態を示す断面図である。
【図１３】第１の実施の形態のＬＥＤヘッドが第２の方向に揺動した状態を示す断面図である。
【図１４】第１の実施の形態のポストの他の構成例を示す断面図である。
【図１５】第１の実施の形態の第１の変形例のポストを示す断面図である。
【図１６】第１の実施の形態の第２の変形例のポストを示す断面図である。
【図１７】第１の実施の形態の第３の変形例のポストを示す断面図である。
【図１８】第１の実施の形態の第４の変形例のポストを示す断面図である。
【図１９】第１の実施の形態の第５の変形例のポストを示す例断面図である。
【図２０】第１の実施の形態の第６の変形例のポストを示す断面図である。
【図２１】第１の実施の形態の第７の変形例のポストを示す断面図である。
【図２２】第１の実施の形態および各変形例の光学ヘッドを適用した読取ヘッドを有する画像読取装置の全体構成を示す斜視図である。
【発明を実施するための形態】
【００１１】
第１の実施の形態．
＜画像形成装置の構成＞
図１は、本発明の第１の実施の形態における画像形成装置１の全体構成を示す図である。図１に示す画像形成装置１は、電子写真法を用いて画像を形成するものであり、例えばカラープリンタである。画像形成装置１は、ブラック（Ｂｋ）、イエロー（Ｙ）、マゼンタ（Ｍ）およびシアン（Ｃ）の画像を形成するプロセスユニット（画像形成ユニット）１１Ｂｋ，１１Ｙ，１１Ｍ，１１Ｃを有する。
【００１２】
画像形成装置１の下部には、プロセスユニット１１Ｂｋ，１１Ｙ，１１Ｍ，１１Ｃに用紙（記録媒体）を供給する給紙機構が配設されている。給紙機構は、用紙を収容する用紙カセット２２と、用紙カセット２２に収容された用紙を一枚ずつ繰り出すホッピングローラ２３と、ホッピングローラ２３によって繰り出された用紙を搬送ベルト２１まで搬送する搬送ローラ対２４とを有する。
【００１３】
プロセスユニット１１Ｂｋ，１１Ｙ，１１Ｍ，１１Ｃは、用紙の搬送路に沿って上流側から下流側（ここでは右側から左側）に配列されている。記録媒体としては、用紙のほか、ＯＨＰシート、封筒、複写紙、特殊紙等を使用することができる。
【００１４】
プロセスユニット１１Ｂｋ，１１Ｙ，１１Ｍ，１１Ｃは、それぞれ、像担持体としての円筒状の感光体ドラム１２Ｂｋ，１２Ｙ，１２Ｍ，１２Ｃと、感光体ドラム１２Ｂｋ，１２Ｙ，１２Ｍ，１２Ｃの表面を一様に帯電させる帯電部材としての帯電ローラ１３Ｂｋ，１３Ｙ，１３Ｍ，１３Ｃと、感光体ドラム１２Ｂｋ，１２Ｙ，１２Ｍ，１２Ｃの表面に形成された静電潜像に各色のトナー（現像剤）を付着させてトナー像（現像剤像）を形成する現像剤担持体としての現像ローラ１４Ｂｋ，１４Ｙ，１４Ｍ，１４Ｃとを備える。
【００１５】
また、現像ローラ１４Ｂｋ，１４Ｙ，１４Ｍ，１４Ｃに当接するように、現像ローラ１４Ｂｋ，１４Ｙ，１４Ｍ，１４Ｃにトナーを供給する供給部材としてのトナー供給ローラ１５Ｂｋ，１５Ｙ，１５Ｍ，１５Ｃと、現像ローラ１４Ｂｋ，１４Ｙ，１４Ｍ，１４Ｃの表面に形成されるトナー層の厚さを規制する現像ブレード１６Ｂｋ，１６Ｙ，１６Ｍ，１６Ｃとが配置されている。また、トナー供給ローラ１５Ｂｋ，１５Ｙ，１５Ｍ，１５Ｃの上側には、トナーを補給する現像剤収容部としてのトナーカートリッジ１７Ｂｋ，１７Ｙ，１７Ｍ，１７Ｃが取り付けられている。
【００１６】
また、プロセスユニット１１Ｂｋ，１１Ｙ，１１Ｍ，１１Ｃの上側には、露光ヘッド（光学ヘッド）としてのＬＥＤヘッド１０Ｂｋ，１０Ｙ，１０Ｍ，１０Ｃが、それぞれ感光体ドラム１２Ｂｋ，１２Ｙ，１２Ｍ，１２Ｃに対向するように配置されている。ＬＥＤヘッド１０Ｂｋ，１０Ｙ，１０Ｍ，１０Ｃは、各色の画像データに基づき、感光体ドラム１２Ｂｋ，１２Ｙ，１２Ｍ，１２Ｃの表面を露光して静電潜像を形成する。
【００１７】
プロセスユニット１１Ｂｋ，１１Ｙ，１１Ｍ，１１Ｃの下側には、転写ユニットが配設されている。転写ユニットは、用紙を吸着して走行する搬送部材としての搬送ベルト２１と、搬送ベルト２１を駆動する駆動ローラ２１ａと、搬送ベルト２１に張力を付与するテンションローラ２１ｂと、感光体ドラム１２Ｂｋ，１２Ｙ，１２Ｍ，１２Ｃに搬送ベルト２１を介して対向配置された転写部材としての転写ローラ２０ｋ，２０Ｙ，２０Ｍ，２０Ｃとを有する。転写ローラ２０ｋ，２０Ｙ，２０Ｍ，２０Ｃは、用紙をトナーと逆の極性に帯電させ、感光体ドラム１２Ｂｋ，１２Ｙ，１２Ｍ，１２Ｃに形成された各色のトナー像を用紙に転写する。
【００１８】
用紙の搬送方向に沿って感光体ドラム１２Ｂｋ，１２Ｙ，１２Ｍ，１２Ｃの下流側（図中左側）には、定着装置（定着器）２５が配置されている。定着装置２５は、用紙に転写されたトナー像に熱および圧力を加えて用紙に定着させる定着ローラ２５ａおよび加圧ローラ２５ｂと、定着ローラ２５ａの表面温度を検出する温度センサ２５ｃを備えている。
【００１９】
定着装置２５のさらに下流側には、用紙を排出するための排出機構が配設されている。排出機構は、定着装置２５から排出された用紙を搬送して排出口から排出する排出ローラ対２６，２７を有する。画像形成装置１の上面には、排出ローラ対２６，２７によって排出された用紙を載置するスタッカ部２９が設けられている。
【００２０】
画像形成装置１は、これらの構成要素を収容する筐体１Ａと、筐体１Ａの上方を覆う開閉可能なトップカバー１Ｂとを有する。なお、ＬＥＤヘッド１０Ｂｋ，１０Ｙ，１０Ｍ，１０Ｃは、トップカバーによって上方から支持されている。
【００２１】
以上の構成において、プロセスユニット１１Ｙ，１１Ｍ，１１Ｃ，１１Ｋの各感光体ドラム１２Ｂｋ，１２Ｙ，１２Ｍ，１２Ｃの回転軸の方向を、Ｘ方向とする。また、プロセスユニット１１Ｙ，１１Ｍ，１１Ｃ，１１Ｋを通過する際の用紙の移動方向を、Ｙ方向（より具体的には、＋Ｙ方向）とする。また、Ｘ方向およびＹ方向の両方に直交する方向をＺ方向とする。ここでは、Ｚ方向を鉛直方向とし、上方を＋Ｚ方向、下方を−Ｚ方向とする。
【００２２】
プロセスユニット１１Ｂｋ，１１Ｙ，１１Ｍ，１１Ｃは、共通の構成を有するため、「プロセスユニット１１」として説明する。また、ＬＥＤヘッド１０Ｂｋ，１０Ｙ，１０Ｍ，１０Ｃは、共通の構成を有するため、「ＬＥＤヘッド１０」として説明する。
【００２３】
同様に、感光体ドラム１２Ｂｋ，１２Ｙ，１２Ｍ，１２Ｃは「感光体ドラム１２」として説明し、帯電ローラ１３Ｂｋ，１３Ｙ，１３Ｍ，１３Ｃは「帯電ローラ１３」として説明する。現像ローラ１４Ｂｋ，１４Ｙ，１４Ｍ，１４Ｃは「現像ローラ１４」として説明し、トナー供給ローラ１５Ｂｋ，１５Ｙ，１５Ｍ，１５Ｃは「トナー供給ローラ１５」として説明する。現像ブレード１６Ｂｋ，１６Ｙ，１６Ｍ，１６Ｃは「現像ブレード１６」として説明し、トナーカートリッジ１７Ｂｋ，１７Ｙ，１７Ｍ，１７Ｃは、「トナーカートリッジ１９」として説明する。
【００２４】
＜ＬＥＤヘッドの構成＞
次に、露光ヘッドとしてのＬＥＤヘッド１０Ｂｋ，１０Ｙ，１０Ｍ，１０Ｃの構成について説明する。図２は、ＹＺ面と平行な面におけるＬＥＤヘッド１０の断面図である。図２に示すように、ＬＥＤヘッド１０は、感光体ドラム１２に対向配置された複数の発光素子としてのＬＥＤ（発光ダイオード）を有するＬＥＤアレイチップ６１と、ＬＥＤアレイチップ６１を制御するための図示しないドライバＩＣとが実装された基板６を備える。
【００２５】
ＬＥＤアレイチップ６１の各ＬＥＤの光の出射方向は、−Ｚ方向である。各ＬＥＤは、Ｘ方向（すなわち感光体ドラム１２の軸方向）に一列に配列されている。そのため、Ｘ方向は主走査方向とも称し、Ｙ方向は副走査方向とも称する。基板６は、例えばガラスエポキシ樹脂で形成されている。
【００２６】
ＬＥＤヘッド１０は、また、基板６と感光体ドラム１２との間に、光学系（レンズ）としてのレンズアレイ２を備える。レンズアレイ２は、例えば、セルフォック（登録商標）レンズアレイとも称されるものである。レンズアレイ２は、ＬＥＤアレイチップ６１の各ＬＥＤから放射された光を感光体ドラム１２の表面１２ａに結像させる複数のロッドレンズ（収束レンズ）を有する。レンズアレイ２の複数のロッドレンズは、光軸方向をＺ方向とし、Ｘ方向に一列（または複数列）に配列されている。
【００２７】
ＬＥＤヘッド１０は、また、基板６とレンズアレイ２とを支持する支持部材としてのフレーム３を有する。フレーム３は、Ｘ方向に長い長尺状の部材であり、例えばアルミニウムのダイキャスト成形体により形成される。フレーム３は、Ｙ方向に対向する２つの壁部３１，３２と、感光体ドラム１２に対向する底部３０とを有する。
【００２８】
２つの壁部３１，３２のうち、第１の壁部３１は感光体ドラム１２の回転方向（図２では時計回り）の下流側に位置し、第２の壁部３２は感光体ドラム１２の回転方向の上流側に位置する。但し、壁部３１，３２の位置関係は逆でも良い。
【００２９】
フレーム３の底部３０には、レンズアレイ２を挿入する開口部３０ａが形成されている。レンズアレイ２は、各ロッドレンズの光軸方向をＺ方向に向けた状態で、開口部３０ａに挿入される。レンズアレイ２は、入射端面２ｂとＬＥＤアレイチップ６１との距離Ｌｏが、レンズアレイ２の特性上、最適な距離となるようにＺ方向に位置決めされて、接着剤等によりフレーム３に固定される。レンズアレイ２と開口部３０ａとの隙間は、例えば封止材（図示せず）によって封止される。
【００３０】
フレーム３の壁部３１，３２のＹ方向の内側には、基板６の下面（−Ｚ側の面）に当接する基板当接部３３，３４がそれぞれ形成されている。基板６の上方（＋Ｚ方向）には、基板６を基板当接部３３，３４に押し付ける押し付け部材７が配置される。
【００３１】
押し付け部材７は、例えば、プラスチック製の板状部材である。押し付け部材７のＹ方向両端には、Ｙ方向外側に突出する突出片７１，７２が形成されている。また、押し付け部材７の下面（−Ｚ側の面）には、基板６の上面（＋Ｚ側の面）を押圧する押圧部７３，７４がそれぞれ突出形成されている。
【００３２】
押し付け部材７の突出片７１，７２は、フレーム３の壁部３１に形成されたスリット３８，３９に嵌合する。突出片７１，７２は、スリット３８，３９に嵌合する前の状態では、やや上方に反った形状を有している。突出片７１，７２をスリット３８，３９に嵌合させると、突出片７１，７２が弾性変形し、その弾性力により、押し付け部材７の押圧部７３，７４が基板６を下方に押圧する。これにより、基板６は、基板当接部３３，３４に押し付けられた状態で保持される。
【００３３】
なお、突出片７１，７２およびスリット３８，３９は、いずれもＸ方向（ＬＥＤヘッド１０の長手方向）に複数配置されている。これにより、押し付け部材７は、基板６をＸ方向に亘って均等な力で押圧することができる。
【００３４】
レンズアレイ２の各レンズ要素から出射された光を感光体ドラム１２の表面１２ａで正確に収束（結像）させるためには、ＬＥＤアレイチップ６１の表面からレンズアレイ２の入射端面２ｂまでの距離Ｌｏと、レンズアレイ２の出射端面２ａから感光体ドラム１２の表面１２ａまでの距離Ｌｉとが、略同一（Ｌｏ≒Ｌｉ）となるように、距離Ｌｉを調整する必要がある。
【００３５】
そのため、ＬＥＤヘッド１０の長手方向（すなわちＸ方向）の両端には、ＬＥＤヘッド１０を感光体ドラム１２に向けて付勢する一対のスプリング１００（図３）が配設されている。スプリング１００の軸方向はＺ方向であり、ＬＥＤヘッド１０を図２に矢印Ｆ１で示す方向に付勢する。
【００３６】
図３は、ＬＥＤヘッド１０とヘッドホルダ８とを示す断面図である。上記の通り、ＬＥＤヘッド１０は、画像形成装置１に設けられたヘッドホルダ８によって保持されている。ヘッドホルダ８は、ＬＥＤヘッド１０の上方（＋Ｚ方向）に位置し、トップカバー１Ｂ（図１）によって支持されている。
【００３７】
ヘッドホルダ８は、ＬＥＤヘッド１０をＸ方向両側から支持する２つの支持部８１と、これらを連結する連結部８０とを有する。２つの支持部８１は、連結部８０のＸ方向両端から下方に（−方向）に延在している。２つの支持部８１の間には、ＬＥＤヘッド１０を収容する領域であるヘッド収容部８２が形成されている。
【００３８】
２つの支持部８１のそれぞれ対向する側には、案内溝８３がそれぞれ形成されている。案内溝８３は、Ｚ方向（上下方向）に延在しており、Ｙ方向に幅を有し、Ｘ方向に深さを有する。
【００３９】
ＬＥＤヘッド１０のフレーム３のＸ方向の両端部３７には、Ｘ方向外側に突出する爪部３５がそれぞれ設けられている。各爪部３５は、ヘッドホルダ８の案内溝８３にそれぞれ挿入される。爪部３５の幅（すなわちＹ方向の寸法）は、案内溝８３の幅よりも僅かに狭い。爪部３５が案内溝８３に挿入されることにより、ＬＥＤヘッド１０はＺ方向に移動可能に支持される。
【００４０】
図３に示すように各爪部３５が各案内溝８３の下端に位置している状態で、ＬＥＤヘッド１０は、爪部３５を中心として揺動可能となる。すなわち、ＬＥＤヘッド１０は、Ｘ方向の揺動軸（爪部３５）を中心として揺動可能となる。なお、案内溝８３の内面には金属板（図示せず）が配設されており、この金属板を介してＬＥＤヘッド１０が接地される。
【００４１】
ヘッドホルダ８とＬＥＤヘッド１０との間に、ＬＥＤヘッド１０を感光体ドラム１２に向けて（すなわち−Ｚ方向に）付勢する２つのスプリング１００が配置されている。これらのスプリング１００は、ＬＥＤヘッド１０のＸ方向の両端部近傍にそれぞれ配置されている。スプリング１００は、例えば、円筒状の圧縮コイルスプリングである。なお、スプリング１００の数は、２つに限らず、任意である。
【００４２】
ヘッドホルダ８には、各スプリング１００を保持するための２つのポスト８５が設けられている。ポスト８５は、スプリング１００の内周側に挿入されている。ポスト８５のＺ方向の長さは、スプリング１００のＺ方向の長さの１／２よりも短いことが望ましい。
【００４３】
ＬＥＤヘッド１０には、各スプリング１００を保持するための２つのポスト（突起部）５が設けられている。ポスト５は、スプリング１００の内周側に挿入されている。ポスト５のＺ方向の長さは、スプリング１００のＺ方向の長さの１／２よりも短いことが望ましい。
【００４４】
ＬＥＤヘッド１０の各ポスト５と、ヘッドホルダ８の各ポスト８５とは、互いに同軸位置にある。言い換えると、ポスト５の中心軸Ｃ（図８参照）と、ポスト８５の中心軸とは、互いに一致している。これにより、１つのポスト５と１つのポスト８５とで、１つのスプリング１００をＺ方向両側から保持することができる。
【００４５】
図４は、ＬＥＤヘッド１０を示す斜視図である。ＬＥＤヘッド１０は、上述したフレーム３と、フレーム３の２箇所に取り付けられるスプリングホルダ４とを有する。スプリングホルダ４は、上記のポスト５を有する部材であり、例えば樹脂で形成されている。スプリングホルダ４は、例えば、フレーム３のＸ方向両端部の近傍に配置されている。但し、スプリング１００の数に応じて、フレーム３の３箇所以上に設けてもよい。
【００４６】
また、フレーム３のＸ方向一端部には、コネクタ３００が設けられている。コネクタ３００は、外部からの駆動信号および電力を基板６に供給するためのフレキシブルケーブルが接続される。
【００４７】
図５は、ＬＥＤヘッド１０のフレーム３にスプリングホルダ４を取り付ける途中の状態を示す斜視図である。図５に示すように、スプリングホルダ４は、フレーム３の第２の壁部３２に形成された取付け穴３６に取り付けられている。取付け穴３６は、第２の壁部３２の上端につながる切欠きである。取付け穴３６の形状は、ここでは矩形状であるが、これに限定されるものではない。
【００４８】
第１の壁部３１において、第２の壁部３２の取付け穴３６にＹ方向に対向する箇所には、スリット３１ａが形成されている。スリット３１ａは、スプリングホルダ４の先端部４５（後述）が嵌合する部分である。また、第２の壁部３２において取付け穴３６のＸ方向両側には、嵌合穴３２ａがそれぞれ形成されている。嵌合穴３２ａは、スプリングホルダ４の突出端部４３ａ（後述）が嵌合する部分である。
【００４９】
図６は、スプリングホルダ４を示す斜視図である。スプリングホルダ４は、ＸＹ面に平行な板状のベース部（基部）４１と、ベース部４１の＋Ｙ方向端部から下方（−Ｚ方向）に延在する側板部４２とを有する。
【００５０】
ベース部４１の上面（＋Ｚ側の面）は、ＸＹ面に平行である。この面を、基準面４１ａと称する。ベース部４１の基準面４１ａは、スプリング１００の端部が当接する部分である。基準面４１ａの略中央には、上述したポスト５が＋Ｚ方向に突出するように形成されている。側板部４２は、スプリングホルダ４をフレーム３に取り付けた際に、フレーム３の第２の壁部３２の外面に突き当たる部材である。
【００５１】
ベース部４１のＸ方向の両側には、梁状部分４４がそれぞれ形成されている。２つの梁状部分４４は、−Ｙ方向に進むにつれて２つの梁状部分４４のＸ方向距離が狭まるように傾斜している。２つの梁状部分４４の＋Ｙ方向の末端部分４４ａのＸ方向間隔は、取付け穴３６のＸ方向の幅よりも広い。また、ベース部４１の−Ｙ方向の先端部４５は、第１の壁部３１のスリット３１ａに嵌合する部分である。
【００５２】
側板部４２の＋Ｚ方向の端部（すなわち上端部）で且つＸ方向の両端部には、Ｘ方向両側に突出する腕部４３が形成されている。それぞれの腕部４３には、−Ｙ方向に突出する突出端部４３ａが形成されている。
【００５３】
図６は、フレーム３にスプリングホルダ４を取り付けた状態を示す斜視図である。スプリングホルダ４のベース部４１は、第２の壁部３２の取付け穴３６に−Ｙ方向に押し込まれる。スプリングホルダ４は−Ｙ方向にスライドし、これに伴い、ベース部４１の両側の梁状部分４４がＸ方向内側に弾性変形する。
【００５４】
スプリングホルダ４の−Ｙ方向のスライドに伴い、梁状部分４４がＸ方向内側に弾性変形しながら取付け穴３６を通過し、変形前の状態に復帰する。これにより、梁状部分４４の末端部分４４ａのＸ方向間隔が広がって第２の壁部３２の内面に当接し、スプリングホルダ４の取付け穴３６からの脱落を防止する。
【００５５】
この状態で、スプリングホルダ４の先端部４５は、第１の壁部３１のスリット３１ａに嵌合する。また、スプリングホルダ４の腕部４３の突出端部４３ａは、第２の壁部３２の嵌合穴３２ａに嵌合する。これにより、フレーム３に対するスプリングホルダ４の位置決めがなされる。
【００５６】
なお、スプリングホルダ４のフレーム３に対する取り付け構造は、ここで説明した構造に限定されるものではない。
【００５７】
このようにスプリングホルダ４がフレーム３に取り付けられた状態で、ベース部４１は第１の壁部３１と第２の壁部３２との間に位置する。また、ベース部４１に形成されたポスト５は、第１の壁部３１と第２の壁部３２との間（例えば、Ｙ方向における第１の壁部３１と第２の壁部３２との中心位置）に位置する。
【００５８】
図７は、スプリングホルダ４を示す斜視図である。ポスト５は、スプリングホルダ４のベース部４１の基準面４１ａから上方（すなわち＋Ｚ方向）に突出するように形成されている。ポスト５において、ベース部４１の基準面４１ａにつながる部分を、根元部分と称する。
【００５９】
ここでは、ポスト５はスプリングホルダ４と一体に形成されている。但し、ポスト５をスプリングホルダ４とは別体として形成し、スプリングホルダ４に接着等によって固定してもよい。また、ポスト５は、スプリングホルダ４の代わりに、押し付け部材７に設けてもよい。
【００６０】
図８は、ポスト５を拡大して示す斜視図である。ポスト５は、Ｚ方向に延びる中心軸Ｃを中心として放射状に且つ周方向に均等に延在する第１の部分５１、第２の部分５２、第３の部分５３および第４の部分５４を有する。第１の部分５１と第２の部分５２とは、Ｙ方向に互いに対向し、第３の部分５３と第４の部分５４とは、Ｘ方向に互いに対向する。
【００６１】
ポスト５は、ここでは第１〜第４の部分５４を有し、ＸＹ面と平行な面における断面形状が十字形である。しかしながら、ポスト５はこのような形状に限定されるものではなく、中心軸Ｃを中心として複数の部分が放射状に延在していればよい。また、円柱形状、角柱形状（例えば、三角柱形、四角柱形等）であってもよい。
【００６２】
ポスト５の各部分５１，５２，５３，５４は、それぞれ外周面５１ａ，５２ａ，５３ａ，５４ａを有する。中心軸Ｃから各外周面５１ａ，５２ａ，５３ａ，５４ａまでの距離は、互いに同一である。各部分５１，５２，５３，５４の上面５０は、互いに同一面にある。なお、図８では、外周面５１ａ，５２ａ，５３ａ，５４ａの上側にテーパ面が設けられているが、テーパ面は必ずしも設けなくてもよい。
【００６３】
図９は、ポスト５のＹＺ面に平行な面における断面形状を示す模式図である。ポスト５は、第１の部分５１の根元部分に、凹部としての切欠き部５１ｂを有している。切欠き部５１ｂは、第１の部分５１の外周面５１ａよりも内周側に退避した部分である。切欠き部５１ｂの上側には、切欠き部５１ｂよりも外周方向に突出する凸部５１ｃが形成される。この凸部５１ｃは、上記の外周面５１ａを含む。
【００６４】
第１の部分５１の外周面５１ａから第２の部分５２の外周面５２ａとの距離（すなわち、ポスト５の最大外形寸法）を、Ｌ１とする。また、第１の部分５１の切欠き部５１ｂから第２の部分５２の外周面５２ａまでの距離を、Ｌ２とする。距離Ｌ１は、距離Ｌ２よりも大きい。
【００６５】
基準面４１ａからポスト５の上面５０までの高さを、Ｈ１とする。また、第１の部分５１の切欠き部５１ｂの高さ（すなわち基準面４１ａから切欠き部５１ｂの上端までの高さ）を、Ｈ２とする。高さＨ１は、高さＨ２よりも大きい。
【００６６】
図９に符号Ｅで示す切欠き部５１ｂの深さ（外周面５１ａに対するＹ方向の退避量）は、凹部１５ｂがポスト５の中心（中心軸Ｃ）に達しない程度に設定される。スプリング１００が湾曲していない状態（後述するようにＬＥＤヘッド１０を揺動させていない状態）で、スプリング１００をポスト５から取り外す際には、凹部１５ｂが深過ぎない方が取り外し易いからである。
【００６７】
図１０は、ポスト５にスプリング１００を取り付けた状態を示す模式図である。スプリング１００は、線材を螺旋状に巻いたものである。スプリング１００の線材の外径（線径と称する）をφとする。また、スプリング１００のそれぞれの巻き部分を、基準面４１ａ側から順に、１巻目１０１、２巻目１０２、３巻目１０３、４巻目１０４、５巻目１０５と称する。なお、図１０には、スプリング１００の１巻目１０１から５巻目１０５までを示すが、これはスプリング１００の一部である。
【００６８】
スプリング１００の内径Ｄ（すなわち内側寸法）は、ポスト５の上記距離（最大外径寸法）Ｌ１（図９）よりも大きい（すなわち、Ｄ＞Ｌ１）。そのため、スプリング１００の内側にポスト５が挿入される。また、スプリング１００を＋Ｚ方向に引き上げると、ポスト５に引っ掛からずに引き抜くことができる。
【００６９】
また、基準面４１ａから、スプリング１００の３巻目１０３の上面までの高さを、Ｈｓとする。高さＨｓは、図９に示した高さＨ１および高さＨ２よりも大きい。
【００７０】
＜作用＞
次に、第１の実施の形態の作用について説明する。図１１は、ＬＥＤヘッド１０のスプリングホルダ４の取り付け位置（図４に線分ＸＩ−ＸＩで示す）における断面図である。図１１に示す状態では、ＬＥＤヘッド１０は、ＬＥＤアレイチップ６１が感光体ドラム１２に相対する位置（すなわち感光体ドラム１２を露光する位置）にある。この位置を、基準位置とする。
【００７１】
スプリングホルダ４の取り付け位置では、フレーム３の壁部３１，３２のうち、第２の壁部３２に取付け穴３６が形成される。そのため、スプリングホルダ４の取り付け位置では、フレーム３の第１の壁部３１が第２の壁部３２よりも高い。
【００７２】
ＬＥＤヘッド１０をヘッドホルダ８（図３）に取り付ける際には、まずスプリング１００をヘッドホルダ８のポスト８５に取り付ける。そして、ＬＥＤヘッド１０の爪部３５をヘッドホルダ８の案内溝８３に挿入しながら、ＬＥＤヘッド１０をヘッドホルダ８のヘッド収容部８２に挿入する。
【００７３】
その後、ヘッドホルダ８のポスト８５に取り付けられているスプリング１００に、ＬＥＤヘッド１０のポスト５を挿入する。このとき、ＬＥＤヘッド１０を、基準位置（感光体ドラム１２に正対する位置）を中心として、図１１に矢印Ｒ１で示す第１の方向、または、図１１に矢印Ｒ２で示す第２の方向に揺動させる。ＬＥＤヘッド１０は、爪部３５（図２）で規定される揺動軸を中心として揺動する。
【００７４】
このように、ＬＥＤヘッド１０を揺動させることにより、ポスト５をスプリング１００に容易に挿入することができる。また、ＬＥＤヘッド１０のコネクタ３００（図４）にフレキシブルケーブルの端子を接続する際に、ＬＥＤヘッド１０を揺動させることで、接続作業が容易になる。
【００７５】
図１２は、ＬＥＤヘッド１０を第１の方向（図１１に矢印Ｒ１で示す方向）に揺動させた状態を示す、図４の線分ＸＩ−ＸＩにおける断面図である。図１３は、ＬＥＤヘッド１０を第２の方向（図１１に矢印Ｒ２で示す方向）に揺動させた状態を示す、図４の線分ＸＩ−ＸＩにおける断面図である。なお、図示の便宜上、図１２および図１３では、ＬＥＤヘッド１０の向きを、基準位置（図１１）にあるときと同じ向きに示している。
【００７６】
図１２に示すように、ＬＥＤヘッド１０を第１の方向（図１１に矢印Ｒ１で示す方向）に揺動させると、スプリング１００がフレーム３の第１の壁部３１側に倒れるように湾曲する。ＬＥＤヘッド１０の揺動角度が大きくなると、スプリング１００がフレーム３の第１の壁部３１の上面（符号３Ａで示す）に接触する。このときのＬＥＤヘッド１０の揺動角度を、第１の角度と称する。
【００７７】
図１３に示すように、ＬＥＤヘッド１０を第２の方向（図１１に矢印Ｒ２で示す方向）に揺動させると、スプリング１００がフレーム３の第２の壁部３２側に倒れるように湾曲する。スプリングホルダ４の取り付け位置では、フレーム３の第２の壁部３２は第１の壁部３１よりも低いため、ＬＥＤヘッド１０を、第１の角度よりも大きい第２の角度まで揺動させることができる。
【００７８】
そのため、図１２に示すようにＬＥＤヘッド１０を第１の方向に揺動させた場合には、接触部３Ａが支点となって、スプリング１００に矢印Ｆで示すように力が作用し、スプリング１００がポスト５から外れる可能性がある。
【００７９】
そこで、本実施の形態では、ポスト５において、第１の壁部３１に対向する第１の部分５１の根元部分に、凹部としての切欠き部５１ｂ（図９）を設けている。スプリング１００の少なくとも１巻目１０１および２巻目１０２は、スプリング１００の湾曲に伴って切欠き部５１ｂの内側に押し込まれる。
【００８０】
ポスト５の切欠き部５１ｂの上側には、外周面５１ａを含む凸部５１ｃ（図９）が外周方向に張り出しているため、スプリング１００の少なくとも１巻目１０１および２巻目１０２が切欠き部５１ｂに係合した状態となる。これにより、スプリング１００がポスト５から外れることが防止される。
【００８１】
なお、「係合」とは、スプリング１００をポスト５の中心軸Ｃの方向（ここではＺ方向）に移動させてもポスト５から外れない状態を言う。
【００８２】
次に、ポスト５の各部の寸法の関係について説明する。上記の通り、第１の部分５１の外周面５１ａから第２の部分５２の外周面５２ａまでの距離Ｌ１（すなわちポスト５の最大外径寸法）は、第１の部分５１の切欠き部５１ｂから第２の部分５２の外周面５２ａまでの距離Ｌ２よりも大きく、スプリング１００の内径Ｄよりも小さい。すなわち、Ｄ＞Ｌ１＞Ｌ２が成り立つ。これにより、ポスト５は、スプリング１００の内周側に挿入可能となる。
【００８３】
また、第１の部分５１の切欠き部５１ｂの高さＨ２は、スプリング１００の線径φの２倍よりも大きい。すなわち、Ｈ２＞２×φが成立する。これにより、スプリング１００の少なくとも１巻目１０１と２巻目１０２が、ポスト５の切欠き部５１ｂ内に侵入可能である。そのため、スプリング１００のポスト５からの外れを効果的に防止することができる。
【００８４】
また、スプリング１００は、湾曲したときにはポスト５の切欠き部５１ｂに係合するが、湾曲していないとき（例えば、ＬＥＤヘッド１０の露光動作時）には、ポスト５の切欠き部５１ｂに係合しない。そのため、スプリング１００をポスト５から＋Ｚ方向に引き上げると、ポスト５の凸部５１ｃに干渉されずに、簡単に取り外すことができる。
【００８５】
また、本実施の形態は、基準面４１ａからポスト５の上面５０までの高さＨ１と、基準面４１ａからスプリング１００の３巻目１０３の上面までの高さＨｓと、スプリング１００の線径φとが、Ｈ１＜Ｈｓ−２φを満足する場合（図１４）に、特に有効である。
【００８６】
すなわち、Ｈ１≧Ｈｓ−２φを満足する場合（図１０）には、スプリング１００がポスト５の第１の部分５１側に湾曲した際に、図１２に矢印Ａで示すように、スプリング１００の３巻目１０３がポスト５の第２の部分５２にかかった状態となり、その分だけスプリング１００が外れにくくなる。
【００８７】
これに対し、図１４に示すように、Ｈ１＜Ｈｓ−２φを満足する場合には、スプリング１００がポスト５の第１の部分５１側に湾曲した際に、矢印Ｂで示すように、スプリング１００の３巻目１０３がポスト５の第２の部分５２にかからない状態となり、その分だけスプリング１００が外れやすい。
【００８８】
従って、図１４に示すようにＨ１＜Ｈｓ−２φを満足する場合には、ポスト５の第１の部分５１の切欠き部５１ｂによるスプリング１００の外れ防止効果が特に大きい。
【００８９】
＜画像形成装置の動作＞
次に、画像形成装置１の画像形成動作について、図１および図２を参照して説明する。画像形成動作が開始されると、ホッピングローラ２３が回転し、用紙カセット２２に収容された用紙を一枚ずつ搬送路に送り出す。さらに、搬送ローラ対２４が所定のタイミングで回転し、搬送路に送り出された用紙を搬送ベルト２１まで搬送する。搬送ベルト２１は、駆動ローラ２１ａの回転によって矢印ｅで示す方向に走行し、用紙を吸着保持して搬送する。
【００９０】
一方、プロセスユニット１１Ｂｋ，１１Ｙ，１１Ｍ，１１Ｃでは、感光体ドラム１２Ｂｋ，１２Ｙ，１２Ｍ，１２Ｃの各表面が、帯電ローラ１３Ｂｋ，１３Ｙ，１３Ｍ，１３Ｃによってそれぞれ一様に帯電される。
【００９１】
さらに、ＬＥＤヘッド１０Ｂｋ，１０Ｙ，１０Ｍ，１０Ｃは、色毎のイメージデータに応じて光を照射する。図２に示すように、各ＬＥＤヘッド１０では、基板６上のＬＥＤアレイチップ６１から出射された光がレンズアレイ２の入射端面２ｂに入射し、さらにレンズアレイ２の出射端面２ａから出射されて、感光体ドラム１２の表面１２ａに収束する。これにより、感光体ドラム１２の表面１２ａの感光層に、静電潜像が形成される。
【００９２】
図１に戻り、感光体ドラム１２Ｂｋ，１２Ｙ，１２Ｍ，１２Ｃの各表面に形成された静電潜像は、現像ローラ１４Ｂｋ，１４Ｙ，１４Ｍ，１４Ｃによってトナーで現像されて、トナー像となる。さらに、搬送ベルト２１の走行に伴い、用紙は、プロセスユニット１１Ｂｋ，１１Ｙ，１１Ｍ，１１Ｃと転写ローラ２０ｋ，２０Ｙ，２０Ｍ，２０Ｃとの間を通過し、その際、感光体ドラム１２Ｂｋ，１２Ｙ，１２Ｍ，１２Ｃの各表面に形成されたトナー像が、搬送ベルト２１上の用紙に順次転写される。
【００９３】
トナー像が転写された用紙は、定着装置２５に送られる。定着装置２５では、定着ローラ２５ａおよび加圧ローラ２５ｂによりトナー像が加熱および加圧され、トナー像が溶融して用紙に定着する。トナー像が定着された用紙は、排出ローラ対２６，２７によって画像形成装置１の外部に排出され、画像形成装置１の上部に設けられたスタッカ部２９に積載される。
【００９４】
＜実施の形態の効果＞
以上説明したように、本発明の画像形成装置１は、感光体ドラム１２（像担持体）と、感光体ドラム１２を露光するＬＥＤヘッド１０（露光ヘッド）と、ＬＥＤヘッド１０を感光体ドラム１２（像担持体）に向けて付勢するスプリング１００とを有する。ＬＥＤヘッド１０は、ベース部４１（基部）と、ベース部４１から感光体ドラム１２とは反対側（−Ｚ側）に突出し、スプリング１００の内側寸法（内径Ｄ）よりも小さく形成され、スプリング１００の内周側に挿入されるポスト５（突起部）とを有する。ポスト５は、ベース部４１側の根元部分に、スプリング１００と係合可能な切欠き部５１ｂ（凹部）とを有する。
【００９５】
このように構成されているため、ＬＥＤヘッド１０の揺動によってスプリング１００が湾曲した際に、ＬＥＤヘッドの１０のポスト５の切欠き部５１ｂにスプリング１００が係合し、スプリング１００がポスト５からの外れを防止することができる。これにより、ＬＥＤヘッド１０、ヘッドホルダ８およびスプリング１００の組み立てが容易になり、画像形成装置１の組立効率を向上することができる。
【００９６】
また、スプリング１００が湾曲した際には、スプリング１００が切欠き部５１ｂに係合するが、スプリング１００が湾曲していないときには、スプリング１００は切欠き部５１ｂに係合しない。そのため、スプリング１００をポスト５から簡単に取り外すことができる。
【００９７】
また、ポスト５の根元部分に切欠き部５１ｂが形成されているため、スプリング１００が湾曲した際にスプリング１００が切欠き部５１ｂに入り込む構成を、簡単な構成で実現することができる。
【００９８】
また、ＬＥＤヘッド１０は、Ｘ方向に延びる揺動軸を中心として揺動可能であり、ポスト５においてＬＥＤヘッド１０の揺動する側（図９における−Ｙ側）に切欠き部５１ｂが設けられている。そのため、ＬＥＤヘッド１０の揺動時において、スプリング１００のポスト５からの外れを効果的に防止することができる。
【００９９】
また、ＬＥＤヘッド１０は、感光体ドラム１２に正対する位置を基準として、第１の方向に第１の角度だけ揺動可能であり、また第２の方向に第１の角度より大きい第２の角度だけ揺動可能であり、ポスト５の切欠き部５１ｂが第１の方向側に形成されている。そのため、最小限の構成で、スプリング１００のポスト５からの外れを防止することができる。
【０１００】
変形例．
以下に、第１の実施の形態の変形例について説明する。図１５は、第１の変形例を説明するための、ＹＺ面に平行な面における断面図である。第１の変形例では、ベース部４１において、ポスト５Ａの切欠き部５１ｂの下方に位置する部分に、穴５１ｄが形成されている。切欠き部５１ｂと穴５１ｄとは、互いに一体となって、空洞部を形成する。空洞部には、スプリング１００の少なくとも１巻目が侵入可能である。この構成によっても、スプリング１００のポスト５からの外れを防止することができる。
【０１０１】
この場合、穴５１ｄの底部から切欠き部５１ｂの上端までの高さＨ４は、スプリング１００の線径φの２倍以上であることが望ましい。切欠き部５１ｂと穴５１ｄとで構成される空洞部に、スプリング１００の少なくとも１巻目と２巻目が入り込むことで、スプリング１００の外れを効果的に防止できるためである。他の構成は、第１の実施の形態と同様である。
【０１０２】
図１６は、第２の変形例を説明するための、ＹＺ面に平行な面における断面図である。第２の変形例では、ベース部４１に、第１の変形例の穴５１ｄと同様の穴５１ｅが形成されているが、この穴５１ｅはベース部４１をＺ方向に貫通している。切欠き部５１ｂと穴５１ｅとは、互いに一体となって、空洞部を形成する。空洞部には、スプリング１００の少なくとも１巻目が侵入可能である。この構成によっても、スプリング１００のポスト５からの外れを防止することができる。なお、穴５１ｅは貫通穴であるため、製造が容易という利点もある。
【０１０３】
この場合、穴５１ｅの底部（すなわちベース部４１の底面）から切欠き部５１ｂの上端までの高さＨ５は、スプリング１００の線径φの２倍以上であることが望ましい。切欠き部５１ｂと穴５１ｅとで構成される空洞部に、スプリング１００の少なくとも１巻目と２巻目が入り込むことで、スプリング１００の外れを効果的に防止できるためである。他の構成は、第１の実施の形態と同様である。
【０１０４】
図１６は、第３の変形例を説明するための、ＹＺ面に平行な面における断面図である。第３の変形例では、ポスト５のＹ方向の両側に、凹部としての切欠き部５１ｂ，５２ｂが形成されている。すなわち、ポスト５の第１の部分５１および第２の部分５２の根元部分に、切欠き部５１ｂ，５２ｂが形成されている。
【０１０５】
第３の変形例では、ポスト５のＹ方向の両側に切欠き部５１ｂ，５２ｂが形成されているため、ＬＥＤヘッド１０が第１の方向（図１１に矢印Ｒ１で示す）および第２の方向（図１１に矢印Ｒ２で示す）の何れに揺動した場合も、スプリング１００のポスト５からの外れを防止することができる。他の構成は、第１の実施の形態と同様である。
【０１０６】
図１８は、第４の変形例を説明するための斜視図である。第４の変形例では、ポスト５のＹ方向の両側とＸ方向の一方の側の計３箇所に、凹部としての切欠き部５１ｂ，５２ｂ，５３ｂが形成されている。すなわち、ポスト５の第１の部分５１、第２の部分５２および第３の部分５３の根元部分に、切欠き部５１ｂ，５２ｂ，３５ｂが形成されている。
【０１０７】
第４の変形例では、ポスト５の３箇所に切欠き部５１ｂ，５２ｂ，５３ｂが形成されているため、ＬＥＤヘッド１０が第１の方向（図１１に矢印Ｒ１で示す）および第２の方向（図１１に矢印Ｒ２で示す）の何れに揺動した場合、あるいは何らかの原因でＸ方向の一方の側に揺動した場合においても、スプリング１００のポスト５からの外れを防止することができる。他の構成は、第１の実施の形態と同様である。
【０１０８】
図１９は、第５の変形例を説明するための斜視図である。第５の変形例では、ポスト５のＹ方向の両側とＸ方向の両側の計４箇所に、凹部としての切欠き部５１ｂ，５２ｂ，５３ｂ，５４ｂが形成されている。すなわち、ポスト５の第１の部分５１、第２の部分５２、第３の部分５３および第４の部分５４の根元部分に、切欠き部５１ｂ，５２ｂ，５３ｂ，５４ｂが形成されている。
【０１０９】
第５の変形例では、ポスト５の４箇所に切欠き部５１ｂ，５２ｂ，５３ｂ，５４ｂが形成されているため、ＬＥＤヘッド１０が第１の方向（図１１に矢印Ｒ１で示す）および第２の方向（図１１に矢印Ｒ２で示す）の何れに揺動した場合、あるいは何らかの原因でＸ方向の何れの側に揺動した場合においても、スプリング１００のポスト５からの外れを防止することができる。他の構成は、第１の実施の形態と同様である。
【０１１０】
図２０は、第６の変形例を説明するための斜視図である。第６の変形例では、第１の実施の形態で説明したポスト５に代えて、円筒形状のポスト５Ａを用いる。ポスト５Ａは、Ｚ方向の中心軸Ｃを中心とする円筒状の外周面５６ａを有する。また、ポスト５Ａの根元部には、外周面５６ａを平面で切り欠いた、凹部としての切欠き部５６ｂが形成されている。
【０１１１】
ポスト５Ａの切欠き部５６は、第１の実施の形態のポスト５の切欠き部５１ｂと同様、第１の壁部３１（図９）に対向する部分に形成されている。第１の実施の形態で説明した切欠き部５６ｂの寸法Ｈ１，Ｈ２，Ｌ１，Ｌ２，Ｅは、ポスト５Ａの切欠き部５６ｂに適用することができる。このような構成によっても、スプリング１００がポスト５Ａから外れることを防止できる。他の構成は、第１の実施の形態と同様である。
【０１１２】
また、図１５から図１９に示した第１〜第５の変形例を、円筒状のポスト５Ａに適用してもよい。
【０１１３】
図２１は、第７の変形例を説明するための斜視図である。第７の変形例では、第１の実施の形態で説明したポスト５に代えて、三角柱形状のポスト５Ｂを用いる。ポスト５Ｂは、Ｚ方向に平行な３つの側面５８ａを有する。また、ポスト５Ｂの根元部分には、２つの側面５８ａの間の稜線５８ｃを含む部分を平面で切り欠いた、凹部としての切欠き部５８ｂが形成されている。
【０１１４】
ポスト５Ａの切欠き部５６は、第１の実施の形態のポスト５の切欠き部５１ｂと同様、第１の壁部３１（図９）に対向する部分に形成されている。第１の実施の形態で説明した切欠き部５６ｂの寸法Ｈ１，Ｈ２，Ｌ１，Ｌ２，Ｅは、ポスト５Ｂの切欠き部５８ｂに適用することができる。このような構成によっても、スプリング１００がポスト５Ａから外れることを防止できる。他の構成は、第１の実施の形態と同様である。
【０１１５】
また、図１５から図１９に示した第１〜第５の変形例を、三角柱状のポスト５Ｂに適用してもよい。また、ポスト５Ｂの形状として、三角柱形状以外の多角柱形状（例えば、四角柱形状）を採用してもよい。
【０１１６】
上述した第１の実施の形態および各変形例では、画像形成装置の例として、カラープリンタ（図１）について説明した。しかしながら、本発明の画像形成装置は、カラープリンタに限定されるものではなく、例えば単色（モノクロ）のプリンタであってもよい。また、本発明の画像形成装置は、プリンタに限定されるものではなく、例えば、複写機、ファクシミリ装置、複合機等であってもよい。
【０１１７】
＜画像読取装置の構成＞
次に、第１の実施の形態および各変形例の光学ヘッドを適用した受光ヘッドを有する読取ヘッド９０（図１５）を備えた画像読取装置９について説明する。
【０１１８】
図２２は、画像読取装置９を示す斜視図である。画像読取装置９は、例えばフラットベッド型のイメージスキャナである。画像読取装置９は、筐体９２と、筐体９２の上面に設けられた原稿台（支持台）９３と、原稿台９３の下側に配置された光学ヘッドとしての読取ヘッド９０（コンタクトイメージセンサヘッド）と、原稿台９３の上側を覆う蓋９４とを備える。原稿台９３は、可視光線を透過するガラス等の材料で構成されており、その表面に読取原稿（読取対象物）が載置される。
【０１１９】
読取ヘッド９０は、上述したＬＥＤヘッド１０におけるＬＥＤアレイチップ６１（図２）を、受光素子に置き換えたものである。読取ヘッド９０は、ＬＥＤアレイチップ６１（発光素子）を受光素子チップ（受光素子）に置き換えたことを除き、ＬＥＤヘッド１０と同様に構成されている。
【０１２０】
すなわち、読取ヘッド９０は、ＬＥＤヘッド１０（図２，３）と同様に揺動可能であり、スプリングによって原稿台９３に向けて付勢されている。また、読取ヘッド９０は、ＬＥＤヘッド１０（図９，１０）と同様に、スプリングに当接する基部と、この基部から原稿台９３とは反対側に突出してスプリングの内周側に挿入される突起部（例えばポスト）とを有する。また、突起部は、基部側の根元部分に、スプリングと係合可能な凹部（切欠き部）を有する。
【０１２１】
読取ヘッド９０を副走査方向（Ｙ方向）に案内するため、原稿台９３に沿って一対のガイド９５が設けられている。また、読取ヘッド９０は、駆動ベルト９６に連結されており、この駆動ベルト９６は、ステッピングモータ９７に連結されている。また、読取ヘッド９０は、フレキシブルフラットケーブル９８を介して制御回路９１に接続されている。
【０１２２】
画像読取装置９の基本動作は、以下の通りである。原稿台９３上に読取原稿を載置し、スキャンボタン等のスイッチを押下すると、読取ヘッド９０に取り付けられた光源（図示せず）が点灯して読取原稿を照明する。読取ヘッド９０は、ステッピングモータ９７によって駆動される駆動ベルト９６によってＹ方向に移動しながら、読取原稿の表面で反射された光を取り込む。読取ヘッド９０は、受光した光信号を電気信号に変換する。
【０１２３】
読取ヘッド９０は、第１の実施の形態および各変形例で説明したＬＥＤヘッドと同様の特徴を有するため、スプリング１００の外れを防止することができ、組立効率を向上することができる。
【０１２４】
なお、上記のように読取ヘッド９０を移動させる代わりに、原稿台９３上の所定の読取位置を通過するようにＡＤＦ（Ａｕｔｏｍａｔｉｃ  Ｄｏｃｕｍｅｎｔ  Ｆｅｅｄｅｒ）で読取原稿を搬送し、当該読取位置に停止した読取ヘッド９０で読取原稿の画像を読み取ってもよい。
【０１２５】
以上、本発明の望ましい実施の形態について具体的に説明したが、本発明は上記の実施の形態に限定されるものではなく、本発明の要旨を逸脱しない範囲において、各種の改良または変形を行なうことができる。
【符号の説明】
【０１２６】
１  画像形成装置、  ２  レンズアレイ、  ３  フレーム、  ４  スプリングホルダ、  ５  ポスト、  ６  基板、  ７  押し付け部材、  ８  ヘッドホルダ、  ９  画像読取装置、  １０，１０Ｂｋ，１０Ｙ，１０Ｍ，１０Ｃ  ＬＥＤヘッド（露光ヘッド、光学ヘッド）、  １１，１１Ｂｋ，１１Ｙ，１１Ｍ，１１Ｃ  プロセスユニット（画像形成ユニット）、  １２，１２Ｂｋ，１２Ｙ，１２Ｍ，１２Ｃ  感光体ドラム（像担持体）、  １３，１３Ｂｋ，１３Ｙ，１３Ｍ，１３Ｃ  帯電ローラ（帯電部材）、  １４，１４Ｂｋ，１４Ｙ，１４Ｍ，１４Ｃ  現像ローラ（現像剤担持体）、  １５，１５Ｂｋ，１５Ｙ，１５Ｍ，１５Ｃ  供給ローラ（供給部材）、  １６，１６Ｂｋ，１６Ｙ，１６Ｍ，１６Ｃ  現像ブレード（現像剤規制部材）、  １７，１７Ｂｋ，１７Ｙ，１７Ｍ，１７Ｃ  トナーカートリッジ（現像剤収容体）、  ２０，２０Ｂｋ，２０Ｙ，２０Ｍ，２０Ｃ  転写ローラ（転写部材）、  ２１  搬送ベルト、  ２２  用紙カセット（媒体収容部）、  ２５  定着装置、  ３０  底部、  ３１  第１の壁部、  ３１ａ  保持穴、  ３２  第２の壁部、  ３２ａ  位置決め穴、  ３３，３４  基板当接部、  ３５  爪部、  ３６  挿入穴、  ３８，３９  スリット、  ４１  ベース部、  ４１ａ  基準面、  ５０  上面、  ５１    第１の部分、  ５２  第２の部分、  ５３  第３の部分、  ５４  第４の部分、  ５１ａ，５２ａ，５３ａ，５４ａ、  外周面、  ５１ｂ，５２ｂ，５３ｂ，５４ｂ  切欠き部（凹部）、  ６０  読取ヘッド、  ６１  ＬＥＤアレイチップ、  ７１，７２  突出部、  ７３，７４  押圧部、  ８０  連結部、  ８１  支持部、  ８２  ヘッド収容部、  ８３  案内溝、  ８５    ポスト（突起部）、  ９０  読取ヘッド、  １００  スプリング、  １０１  １巻目、  １０２  ２巻目、  １０３  ３巻目、  １０４  ４巻目、  １０５  ５巻目、  ３００  コネクタ。
【図１】
2019142051.tif 000003
【図２】
2019142051.tif 000004
【図３】
2019142051.tif 000005
【図４】
2019142051.tif 000006
【図５】
2019142051.tif 000007
【図６】
2019142051.tif 000008
【図７】
2019142051.tif 000009
【図８】
2019142051.tif 000010
【図９】
2019142051.tif 000011
【図１０】
2019142051.tif 000012
【図１１】
2019142051.tif 000013
【図１２】
2019142051.tif 000014
【図１３】
2019142051.tif 000015
【図１４】
2019142051.tif 000016
【図１５】
2019142051.tif 000017
【図１６】
2019142051.tif 000018
【図１７】
2019142051.tif 000019
【図１８】
2019142051.tif 000020
【図１９】
2019142051.tif 000021
【図２０】
2019142051.tif 000022
【図２１】
2019142051.tif 000023
【図２２】
2019142051.tif 000024